(57)【特許請求の範囲】
【請求項１】
商品に対応してそれぞれ設けられた商品選択手段と、前記商品選択手段により選択されたことを表示する商品選択表示手段と、金額データが記憶されたデータキャリアに対して金額データの読み書きを非接触にて行うカード読み書き手段と、前記データキャリアによる精算を行う演算制御部とからなり、前記商品選択手段によって商品が選択されると選択された前記商品選択表示手段をすべて点灯させ、その後、前記カード読み書き手段に前記データキャリアをかざして商品を購入できるものであって、前記演算制御部は、前記商品選択手段による複数の商品の選択操作が連続して行われた時、選択商品の累計購入金額と前記データキャリアの金額データと比較し、前記データキャリアの金額データが累計購入金額より不足している時は、点灯しているすべての前記商品選択表示手段の中から前記選択商品の選択順に前記データキャリアの金額データの範囲を超えない最大金額を算出して購入可能な商品のみを連続搬出させる自動販売機の制御装置。
【請求項２】
商品に対応してそれぞれ設けられた商品選択手段と、前記商品選択手段により選択されたことを表示する商品選択表示手段と、前記商品選択手段の操作を基に購入金額を記憶する購入金額記憶手段と、金額データが記憶されたデータキャリアに対して金額データの読み書きを非接触にて行うカード読み書き手段と、前記データキャリアによる精算を行う演算制御部とからなり、前記演算制御部は、前記商品選択手段による複数の商品の選択操作が連続して行われた時、選択商品の累計購入金額と前記データキャリアの金額データと比較し、前記データキャリアの金額データが累計購入金額より不足している時は、選択された商品の中から低額商品を前記商品選択表示手段に表示し、選択された商品を取り消すことにより、前記データキャリアの金額データの範囲内で購入可能な商品のみを連続搬出させる自動販売機の制御装置。
【請求項３】
商品に対応してそれぞれ設けられた商品選択手段と、前記商品選択手段により選択されたことを表示する商品選択表示手段と、前記商品選択手段の操作を基に購入金額を記憶する購入金額記憶手段と、金額データが記憶された前記データキャリアに対して金額データの読み書きを非接触にて行うカード読み書き手段と、選択された順にカード残高以内の商品を購入可能にするか、選択された商品を取り消すことでカード残高が最少になる商品を購入可能にするかを設定する購入設定手段と、前記データキャリアによる精算を行う演算制御部とからなり、前記演算制御部は、前記カード残高が最少になる商品購入設定にされている場合、前記商品選択手段による複数の商品の選択操作が連続して行われた時、選択商品の累計購入金額と前記データキャリアの金額データと比較し、前記データキャリアの金額データが累計購入金額より不足している時は、選択された商品の中から低額商品を前記商品選択表示手段に表示し、選択商品を取り消すことにより、商品購入後の前記データキャリアの金額データが最少になる商品を連続搬出させる自動販売機の制御装置。
【請求項４】
商品に対応してそれぞれ設けられた商品選択手段と、前記商品選択手段により選択されたことを表示する商品選択表示手段と、前記商品選択手段の操作を基に購入金額を記憶する購入金額記憶手段と、金額データが記憶されたデータキャリアに対して金額データの読み書きを非接触にて行うカード読み書き手段と、選択された商品を取り消すことでカード残高が最少になる商品購入可能時間帯を設定する購入設定手段と、前記データキャリアによる精算を行う演算制御部とからなり、前記演算制御部は、前記カード残高が最少になる購入設定手段により、時間帯が設定されていると、前記演算制御部は、前記商品選択手段による複数の商品の選択操作が連続して行われた時、選択商品の累計購入金額と前記データキャリアの金額データとを比較し、前記データキャリアの金額データが累計購入金額より不足している時は、設定された時間帯のみ、選択された商品の中から低額商品を前記商品選択表示手段に表示し、選択商品を取り消すことにより、商品購入後の前記データキャリアの金額データが最少になる商品のみを連続搬出させる自動販売機の制御装置。
【発明の詳細な説明】
【０００１】
【発明の属する技術分野】
本発明は、タッチ式カード読み書き装置による精算が行える制御装置に関するものである。
【０００２】
【従来の技術】
近年、自動販売機の制御装置は、キャッシュレス化が急速に普及し、プリペイドカード、非接触カード等が使用できるカード式自動販売機が増加している。
【０００３】
従来のカード読み書き装置による精算が行える制御装置としては、カードの残金を読み込み、その後、商品選択スイッチにより商品が選択され、選択された商品の金額を減算後、残金をカードに書き込み、商品が搬出され、カードの残金が無くなるまで商品が購入できるものが知られている。たとえば特開平６−２７０７９０号公報に示されているものがある。
【０００４】
【発明が解決しようとする課題】
しかしながら上記のような構成では、商品選択をはじめに行い、その後、カードで精算する場合、カードの残金が不足していれば複数商品の連続購入ができないといった課題を有していた。
【０００５】
本発明は、上記課題に鑑み、商品選択をはじめに行い、その後、カードで精算を行うカードシステムにおいて、複数商品の連続購入できる自動販売機の制御装置を提供するものである。
【０００６】
【課題を解決するための手段】
本発明の請求項１に記載の自動販売機の制御装置の発明は、商品に対応してそれぞれ設けられた商品選択手段と、前記商品選択手段により選択されたことを表示する商品選択表示手段と、金額データが記憶されたデータキャリアに対して金額データの読み書きを非接触にて行うカード読み書き手段と、前記データキャリアによる精算を行う演算制御部とからなり、前記商品選択手段によって商品が選択されると選択された前記商品選択表示手段をすべて点灯させ、その後、前記カード読み書き手段に前記データキャリアをかざして商品を購入できるものであって、前記演算制御部は、前記商品選択手段による複数の商品の選択操作が連続して行われた時、選択商品の累計購入金額と前記データキャリアの金額データと比較し、前記データキャリアの金額データが累計購入金額より不足している時は、点灯しているすべての前記商品選択表示手段の中から前記選択商品の選択順に前記データキャリアの金額データの範囲を超えない最大金額を算出して購入可能な商品のみを連続搬出させるものであり、選択商品の全てが購入できなくても商品選択手段で選択した順で一部の商品が購入できるという作用を有する。
【０００７】
また、請求項２に記載の自動販売機の制御装置の発明は、商品に対応してそれぞれ設けられた商品選択手段と、この商品選択手段により選択されたことを表示する商品選択表示手段と、前記商品選択手段の操作を基に購入金額を記憶する購入金額記憶手段と、金額データが記憶されたデータキャリアに対して金額データの読み書きを非接触にて行うカード読み書き手段と、前記データキャリアによる精算を行う演算制御部とからなり、連続販売で商品を複数本購入する場合、商品選択手段で選択された商品の累計購入金額とデータキャリアから読み取った金額データを比較し、低額の商品を取り消すことにより、データキャリアの金額内の購入本数に限って、販売することができるようにしたものであり、選択商品の全てが購入できなくてもデータキャリアの残高が最少金額になる商品の組み合わせで購入できるという作用を有する。
【０００８】
また、請求項３に記載の自動販売機の制御装置の発明は、請求項２に記載の発明に、さらに、選択された順にカード残高以内の商品を購入可能にするか、選択された商品を取り消すことでカード残高を最少にする商品を購入可能にするかを設定する購入設定手段を設けたものであり、選択された順にカード残高以内の商品を購入可能にするか、カード残高を最少にする商品の組み合わせで購入するかを設定できるという作用を有する。
【０００９】
また、請求項４に記載の自動販売機の制御装置の発明は、請求項２に記載の発明に、さらに、選択された商品を取り消すことでカード残高が最少になる商品の購入可能時間帯を設定する購入設定手段を設けたものであり、カード残高を最少にする商品の組み合わせで購入できる時間帯を設定できるという作用を有する。
【００１０】
【発明の実施の形態】
以下、本発明による自動販売機の制御装置の実施の形態について、図面を参照しながら説明する。
【００１１】
（実施の形態１）
図１は本発明の実施の形態１による自動販売機の制御装置の機能ブロック図である。図２は、同実施の形態の動作を示すフローチャートである。
【００１２】
図１において、１は販売商品を選択する商品選択手段、２は商品選択手段１により選択されたことを表示する商品選択表示手段、３は非接触でカードのデータを読み書きできるカード読み書き手段、４は該当商品の累計購入金額と前記商品選択手段１が操作された後に、ＩＣカード，ＩＣタグ等のデータキャリアから非接触で読みとった金額データを比較し、データキャリアによる精算が可能かを判断する演算制御部である。
【００１３】
以上のように構成された自動販売機の制御装置について、以下その動作を説明する。
【００１４】
商品選択手段１によって商品が選択されると（ＳＴＥＰ１）、選択されたことを表示する商品選択表示手段２を点灯させ（ＳＴＥＰ２）、該当商品の累計金額を算出する（ＳＴＥＰ３）。商品を選択せず、精算を行う場合は、カード読み書き手段３にカードをかざす（ＳＴＥＰ４）と演算制御部４は、累計購入金額とカード読み書き手段３により読み込まれたカード残高を比較する。
【００１５】
そして、カード残高が累計購入金額以下であれば（ＳＴＥＰ５）、演算制御部４は累計購入金額からカード残高を越えない最大金額の合計求め（ＳＴＥＰ６）、カード残高から最大合計金額を減算した金額を出力し、カード残高を書き換える（ＳＴＥＰ７）。カード残高書き換え終了後、該当商品の搬出を行う（ＳＴＥＰ８）。カード残高が購入金額以上であれば、カード読み書き手段３に商品を精算するための精算データを出力し、カード残高を書き換える。
【００１６】
以上のように本実施の形態の自動販売機の制御装置は、商品に対応してそれぞれ設けられた商品選択手段１と、前記商品選択手段により選択されたことを表示する商品選択表示手段２と、金額データが記憶されたデータキャリアに対して金額データの読み書きを非接触にて行うカード読み書き手段３と、前記データキャリアによる精算を行う演算制御部４とから構成されているので、商品選択をはじめに行い、その後、カードで精算する場合、カードの残高が不足していれば複数商品の連続購入ができなかったが、カード残金の範囲内の購入本数に限って商品を選択した順に連続購入することができる。
【００１７】
（実施の形態２）
図３は本発明の実施の形態２による自動販売機の制御装置のブロック図である。図４は、同実施の形態の動作を示すフローチャートである。
【００１８】
図３において、１は販売商品を選択する商品選択手段、２は商品選択手段１により選択されたことを表示する商品選択表示手段、３は非接触でカードのデータを読み書きできるカード読み書き手段、４ａは累計購入金額と前記商品選択手段１が操作された後に、ＩＣカード，ＩＣタグ等のデータキャリアから非接触で読みとった金額データを比較し、データキャリアによる精算が可能かを判断し、データキャリアの金額データが累計購入金額より不足している時は、低額の商品を表示する演算制御部、５は商品選択手段１により選択された商品の購入金額を記憶する購入金額記憶手段である。
【００１９】
以上のように構成された自動販売機の制御装置について、以下その動作を説明する。
【００２０】
商品選択手段１によって商品が選択されると（ＳＴＥＰ９）、選択されたことを表示する商品選択表示手段２を点灯させ（ＳＴＥＰ１０）、この商品の購入金額を購入金額記憶手段５の所定領域に書き込み（ＳＴＥＰ１１）、該当商品の累計購入金額を算出する（ＳＴＥＰ１２）。商品を選択せず、精算を行う場合は、カード読み書き手段３にカードをかざす（ＳＴＥＰ１３）と演算制御部４ａは、該当商品の累計購入金額とカード読み書き手段３により読み込まれたカード残高を比較する。
【００２１】
そして、カード残高が該当商品の累計金額以下であれば（ＳＴＥＰ１４）、演算制御部４ａは選択された商品の中で低額商品の商品選択表示手段２を点滅させ（ＳＴＥＰ１５）、購入者が商品選択手段１で低額な商品を取り消すと（ＳＴＥＰ１６）該当商品の累計金額から低額商品の金額を減算し（ＳＴＥＰ１７）、再度該当商品の累計購入金額とカード読み書き手段３により読み込まれたカード残高を比較する。カード残高が累計購入金額以上になれば、カード残高から該当商品の累計金額を減算した金額を出力し、カード残高を書き換える（ＳＴＥＰ１８）。カード残高書き換え終了後、該当商品の搬出を行う（ＳＴＥＰ１９）。
【００２２】
以上のように本実施の形態の自動販売機の制御装置は、商品に対応してそれぞれ設けられた商品選択手段１と、前記商品選択手段１により選択されたことを表示する商品選択表示手段２と、金額データが記憶されたデータキャリアに対して金額データの読み書きを非接触にて行うカード読み書き手段３と、前記データキャリアによる精算を行う演算制御部４ａと、前記商品選択手段１の操作を基に購入金額を記憶する購入金額記憶手段５とから構成されているので、商品選択をはじめに行い、その後、カードで精算する場合、低額商品の商品選択を取り消すようにすることにより、カード残金が最少になる商品の組み合わせで連続購入することができる。
【００２３】
（実施の形態３）
図５は本発明の実施の形態３による自動販売機の制御装置のブロック図である。図６は、同実施の形態の動作を示すフローチャートである。
【００２４】
図５において、１は販売商品を選択する商品選択手段、２は商品選択手段１により選択されたことを表示する商品選択表示手段、３は非接触でカードのデータを読み書きできるカード読み書き手段、４ｂは該当商品の購入金額と前記商品選択手段１が操作された後に、ＩＣカード，ＩＣタグ等のデータキャリアから非接触で読みとった金額データを比較し、データキャリアによる精算が可能かを判断し、データキャリアの金額データが該当商品の累計購入金額より不足している時は、低額の商品を表示する演算制御部、５は商品選択手段１により選定された商品の購入金額を記憶する購入金額記憶手段、６は選択された順にカード残高以内の商品を購入可能にするか、選択された商品を取り消すことでカード残高が最少になる商品を購入可能にするかを設定する購入設定手段である。
【００２５】
以上のように構成された自動販売機の制御装置について、以下その動作を説明する。
【００２６】
カード残高が最少となる商品購入に設定すると（ＳＴＥＰ２０）、設定状態を記憶し（ＳＴＥＰ２１）、その後、商品選択手段１によって商品が選択されると（ＳＴＥＰ２２）、選択されたことを表示する商品選択表示手段２を点灯させ（ＳＴＥＰ２３）、この商品の購入金額を購入金額記憶手段５の所定領域に書き込み（ＳＴＥＰ２４）、該当商品の累計購入金額を算出する（ＳＴＥＰ２５）。商品を選択せず、精算を行う場合は、カード読み書き手段３にカードをかざす（ＳＴＥＰ２６）と演算制御部４ｂは、該当商品の累計購入金額とカード読み書き手段３により読み込まれたカード残高を比較する。
【００２７】
そして、カード残高が累計購入金額以下であり（ＳＴＥＰ２７）、予めカード残高が最少となる商品購入に設定されていると（ＳＴＥＰ２８）、演算制御部４ｂは選択された商品の中で低額商品の商品選択表示手段２を点滅させ（ＳＴＥＰ２９）、購入者が商品選択手段１で低額な商品を取り消すと（ＳＴＥＰ３０）該当商品の累計購入金額から低額商品の金額を減算し（ＳＴＥＰ３１）、再度該当商品の累購入金額とカード読み書き手段３により読み込まれたカード残高を比較する。カード残高が該当商品の累計購入金額以上になれば、カード残高から該当商品の累計購入金額を減算した金額を出力し、カード残高を書き換える（ＳＴＥＰ３２）。
【００２８】
カード残高書き換え終了後、該当商品の搬出を行う（ＳＴＥＰ３３）。カード残高が該当商品の累計購入金額以下であり、カード残高が最少となる商品購入に設定されていなければ該当商品の累計購入金額からカード残高を越えない最大金額の合計求め（ＳＴＥＰ３４）、カード残高から最大合計金額を減算した金額を出力し、カード残高を書き換える。カード残高書き換え終了後、該当商品の搬出を行う。
【００２９】
以上のように本実施の形態の自動販売機の制御装置は、商品に対応してそれぞれ設けられた商品選択手段１と、前記商品選択手段により選択されたことを表示する商品選択表示手段２と、金額データが記憶されたデータキャリアに対して金額データの読み書きを非接触にて行うカード読み書き手段３と、前記データキャリアによる精算を行う演算制御部４ｂと、前記商品選択手段の操作を基に購入金額を記憶する購入金額記憶手段５と、選択された順にカード残高以内の商品を購入可能にするか、選択された商品を取り消すことでカード残高が最少になる商品を購入可能にするかを設定する購入設定手段６とから構成されているので、観光シーズンでの行楽地等のロケーションの連続販売でカード残高が累計購入金額の合計より不足していて、選択商品の中から低額商品を取り消すための操作に時間がかかることによる販売チャンスを逃さないようにすることができる。
【００３０】
（実施の形態４）
図７は本発明の実施の形態４による自動販売機の制御装置のブロック図である。図８は、同実施の自動販売機の制御装置の動作を示すフローチャートである。
【００３１】
図７において、１は販売商品を選択する商品選択手段、２は商品選択手段１により選択されたことを表示する商品選択表示手段、３は非接触でカードのデータを読み書きできるカード読み書き手段、４ｃは該当商品の累計購入金額と前記商品選択手段１が操作された後に、ＩＣカード，ＩＣタグ等のデータキャリアから非接触で読みとった金額データを比較し、データキャリアによる精算が可能かを判断し、データキャリアの金額データが該当商品の累計購入金額より不足している時は、選択された商品の中から低額商品を表示する演算制御部、５は商品選択手段１により選定された商品の購入金額を記憶する購入金額記憶手段、６ａは選択された商品を取り消すことでカード残高が最少になる商品の購入可能時間帯を設定する購入設定手段である。
【００３２】
以上のように構成された自動販売機の制御装置について、以下その動作を説明する。
【００３３】
カード残高が最少となる商品の購入時間帯を設定すると（ＳＴＥＰ３４）、時間帯を記憶し（ＳＴＥＰ３５）、その後、商品選択手段１によって商品が選択されると（ＳＴＥＰ３６）、選択されたことを表示する商品選択表示手段２を点灯させ（ＳＴＥＰ３７）、この商品の購入金額を購入金額記憶手段５の所定領域に書き込み（ＳＴＥＰ３８）、該当商品の累計購入金額を算出する（ＳＴＥＰ３９）。
【００３４】
商品を選択せず、精算を行う場合は、カード読み書き手段３にカードをかざす（ＳＴＥＰ４０）と演算制御部４ｃは、該当商品の累計金額とカード読み書き手段３により読み込まれたカード残高を比較し、カード残高が該当商品の累計購入金額以下であり（ＳＴＥＰ４１）、予めカード残高が最少となる商品の購入時間帯が設定されていると（ＳＴＥＰ４２）、演算制御部４ｃは選択された商品の中で低額商品の商品選択表示手段２を点滅させ（ＳＴＥＰ４３）、購入者が商品選択手段１で低額な商品を取り消すと（ＳＴＥＰ４４）該当商品の累計購入金額から低額商品の金額を減算し（ＳＴＥＰ４５）、再度該当商品の累計購入金額とカード読み書き手段３により読み込まれたカード残高を比較する。カード残高が該当商品の累計購入金額以上になれば、カード残高から該当商品の累計購入金額を減算した金額を出力し、カード残高を書き換える（ＳＴＥＰ４６）。
【００３５】
カード残高書き換え終了後、該当商品の搬出を行う（ＳＴＥＰ４７）。カード残高が該当商品の累計購入金額以下であり、カード残高が最少となる商品の購入時間帯に設定されていなければ、該当商品の累計購入金額からカード残高を越えない最大金額の合計求め（ＳＴＥＰ４８）、カード残高から最大合計金額を減算した金額を出力し、カード残高を書き換える。カード残高書き換え終了後、該当商品の搬出を行う。
【００３６】
以上のように本実施の形態の自動販売機の制御装置は、商品に対応してそれぞれ設けられた商品選択手段１と、前記商品選択手段により選択されたことを表示する商品選択表示手段２と、金額データが記憶されたデータキャリアに対して金額データの読み書きを非接触にて行うカード読み書き手段３と、前記データキャリアによる精算を行う演算制御部４ｃと、前記商品選択手段の操作を基に購入金額を記憶する購入金額記憶手段５とカード残高が最少となる商品の購入時間帯を設定する購入設定手段６ａとから構成されているので、駅等の朝夕のラッシュ時の時間帯の連続販売でカード残高が購入金額の合計より不足していて、選択商品の中から低額商品を取り消すための操作に時間がかかることによる販売チャンスを逃さないようにすることができる。
【００３７】
【発明の効果】
以上説明したように請求項１に記載の発明は、商品に対応してそれぞれ設けられた商品選択手段と、前記商品選択手段により選択されたことを表示する商品選択表示手段と、金額データが記憶されたデータキャリアに対して金額データの読み書きを非接触にて行うカード読み書き手段と、前記データキャリアによる精算を行う演算制御部とからなり、前記商品選択手段によって商品が選択されると選択された前記商品選択表示手段をすべて点灯させ、その後、前記カード読み書き手段に前記データキャリアをかざして商品を購入できるものであって、前記演算制御部は、前記商品選択手段による複数の商品の選択操作が連続して行われた時、選択商品の累計購入金額と前記データキャリアの金額データと比較し、前記データキャリアの金額データが累計購入金額より不足している時は、点灯しているすべての前記商品選択表示手段の中から前記選択商品の選択順に前記データキャリアの金額データの範囲を超えない最大金額を算出して購入可能な商品のみを連続搬出させるものであり、選択商品の全てが購入できなくても商品選択手段で選択した順に一部の商品が購入できる。
【００３８】
また、請求項２に記載の発明は、商品選択手段による複数の商品の選択操作が連続して行われた時、複数の商品の連続操作回数を購入個数として判断して該当商品の累計購入金額を算出後、データキャリアの金額データと比較し、データキャリアの金額データが不足している時は、低額の商品を取り消すことにより、データキャリアの金額内の購入本数に限って、販売することができるようにしたものであり、データキャリアの残高が最少になる商品の組み合わせで購入できる。
【００３９】
また、請求項３に記載の発明は、選択された順にカード残高以内の商品を購入可能にするか、選択された商品を取り消すことでカード残高を最少にする商品を購入可能にするかを設定する購入設定手段により、カード残高を最少にする商品の組み合わせで購入するかしないかを切替えできるようにしたので、観光シーズンでの行楽地等のロケーションで混雑する場合、低額商品の取り消す時間による販売チャンスを無くすことが少なくできる。
【００４０】
また、請求項４に記載の発明は、選択された商品を取り消すことでカード残高が最少になる商品の購入可能時間帯を設定する購入設定手段により、時間帯を設定できるようにしたので、駅等朝夕のラッシュ時の時間帯で混雑する場合、低額商品の取り消す時間による販売チャンスを無くすことが少なくできる。
【図面の簡単な説明】
【図１】本発明による自動販売機の制御装置の実施の形態１の機能ブロック図
【図２】同実施の形態の自動販売機の制御装置の動作を示すフローチャート
【図３】本発明による自動販売機の制御装置の実施の形態２の機能ブロック図
【図４】同実施の形態の自動販売機の制御装置の動作を示すフローチャート
【図５】本発明による自動販売機の制御装置の実施の形態３の機能ブロック図
【図６】同実施の形態の自動販売機の制御装置の動作を示すフローチャート
【図７】本発明による自動販売機の制御装置の実施の形態４の機能ブロック図
【図８】同実施の形態の自動販売機の制御装置の動作を示すフローチャート
【符号の説明】
１  商品選択手段
２  商品選択表示手段
３  カード読み書き手段
４、４ａ、４ｂ、４ｃ  演算制御部
５  購入金額記憶手段
６、６ａ  購入設定手段
【図１】
0004050075.tif 000002
【図２】
0004050075.tif 000003
【図３】
0004050075.tif 000004
【図４】
0004050075.tif 000005
【図５】
0004050075.tif 000006
【図６】
0004050075.tif 000007
【図７】
0004050075.tif 000008
【図８】
0004050075.tif 000009